(57)【特許請求の範囲】
【請求項１】
平面形状が偶数角形のガイド手段と、このガイド手段における一つおきの辺と同じ長さであって前記一つおきの辺に沿って配置する複数本一組の複数組の第一棒状部材と、前記ガイド手段における他の辺と同じ長さであって前記他の辺に沿って配置する複数本一組の複数組の第二棒状部材を備え、前記第一棒状部材と第二棒状部材が前記偶数角形の各頂点位置で重合されて互いに接着されるものであり、前記ガイド手段が、偶数角形の底部と、その各辺から前記底部に対して垂直に立ち上がる側板部からなる有底の角筒状をなし、所要数の第一棒状部材及び第二棒状部材を梱包可能なパッケージを兼ねることを特徴とする家具組立材料セット。
【請求項２】
有底の角筒状のガイド手段が各側板部の上縁から延びて開閉可能な上蓋部を有し、この上蓋部は、前記側板部と同一平面をなすように起立させて、隣接する上蓋部同士を結合することによって偶数角筒状に組立可能となることを特徴とする請求項１に記載の家具組立材料セット。
【発明の詳細な説明】
【技術分野】
【０００１】
本発明は、収納箱、整理棚、商品陳列棚、ＴＶ台、テーブル、スツールなどとして使用可能な偶数角筒状のかご型家具を組み立てることの可能な材料セットに関する。
【背景技術】
【０００２】
従来から、収納箱や整理棚、商品陳列棚、ＴＶ台、テーブル、スツールなどの家具を組み立てるための材料セットなどが広く知られている（例えば下記の特許文献１参照）。しかしながら、これらの家具や家具組立材料セットは、収納箱用材料セットなら収納箱、整理棚用材料セットなら整理棚としての用途の家具しか組み立てることができず、出来上がった家具のサイズも固定的で、しかも各部品の組立構造も複雑であった。
【先行技術文献】
【特許文献】
【０００３】
【特許文献１】特開２００４−３０５３３７号公報
【発明の概要】
【発明が解決しようとする課題】
【０００４】
本発明は、以上のような点に鑑みてなされたものであって、その技術的課題は、専用の工具などを必要とせず、種々の用途に使用できる偶数角筒状のかご型家具を容易に組立可能な家具組立材料セットを提供することにある。
【課題を解決するための手段】
【０００５】
上述した技術的課題を有効に解決するための手段として、請求項１の発明に係る家具組立材料セットは、平面形状が偶数角形のガイド手段と、このガイド手段における一つおきの辺と同じ長さであって前記一つおきの辺に沿って配置する複数本一組の複数組の第一棒状部材と、前記ガイド手段における他の辺と同じ長さであって前記他の辺に沿って配置する複数本一組の複数組の第二棒状部材を備え、前記第一棒状部材と第二棒状部材が前記偶数角形の各頂点位置で重合されて互いに接着されるものであり、前記ガイド手段が、偶数角形の底部と、その各辺から前記底部に対して垂直に立ち上がる側板部からなる有底の角筒状をなし、所要数の第一棒状部材及び第二棒状部材を梱包可能なパッケージを兼ねるものである。
【０００６】
この家具組立材料セットによれば、平面形状が偶数角形のガイド手段における一つおきの辺に沿って第一段目の複数の第一棒状部材を配置し、これら複数の第一棒状部材の上に架け渡すように、前記ガイド手段における他の辺に沿って第二段目の複数の第二棒状部材を配置し、前記偶数角形の各頂点位置で重合した第一段目の第一棒状部材と第二段目の第二棒状部材を互いに接着し、次に前記第二段目の複数の第二棒状部材の上に架け渡すように、第一段目の第一棒状部材と平行に（前記ガイド手段における一つおきの辺に沿って）第三段目の複数の第一棒状部材を配置し、前記偶数角形の各頂点位置で重合した前記第二段目の第二棒状部材と前記第三段目の第一棒状部材を互いに接着する、といった作業を繰り返すことによって、第一棒状部材と第二棒状部材の積み重ね方向の投影形状が偶数角形をなす角筒状のかご型の家具を製作することができる。
【０００８】
請求項２の発明に係る家具組立材料セットは、請求項１に記載された構成において、有底の角筒状のガイド手段が各側板部の上縁から延びて開閉可能な上蓋部を有し、この上蓋部は、前記側板部と同一平面をなすように起立させて、隣接する上蓋部同士を結合することによって偶数角筒状に組立可能となるものである。
【発明の効果】
【００１３】
請求項１の発明に係る家具組立材料セットによれば、複数の第一棒状部材と複数の第二棒状部材を、ガイド手段に沿って平面形状が偶数角形をなすように交互に積み重ねながら接着して行くことによって、偶数角筒状のかご型家具を製作することができる。そして第一棒状部材及び第二棒状部材を積み重ねる段数によって、用途に応じた種々のサイズの家具を製作することができ、ガイド手段が偶数角形の有底の角筒状をなすものであるため、第一棒状部材及び第二棒状部材を組み立てる際に、角筒状ガイド手段の側板部の内側面及び隅部によって第一棒状部材及び第二棒状部材の側面及び長手方向両端面が位置決めされるので、偶数角筒状のかご型家具を容易にかつ高精度に組み立てることができ、しかもこのガイド手段が第一棒状部材及び第二棒状部材を梱包するパッケージを兼ねるものであるため、安価に提供することができる。
【００１５】
請求項２の発明に係る家具組立材料セットによれば、請求項１による効果に加え、ガイド手段の上蓋部を起立させた状態で偶数角筒状に結合することによって、ガイド手段の側板部の高さよりも積み重ねの高さが高いかご型家具を、容易にかつ高精度に組み立てることができる。
【図面の簡単な説明】
【００２０】
【図１】本発明に係る家具組立材料セットの第一形態におけるガイド手段と棒状部材を示す説明図である。
【図２】本発明に係る家具組立材料セットの第一形態による家具の組立において、ガイド手段に第一段目の棒状部材を設置した状態を示す説明図である。
【図３】本発明に係る家具組立材料セットの第一形態による家具の組立において、第一段目の棒状部材上に第二段目の棒状部材を重ねる工程を示す説明図である。
【図４】本発明に係る家具組立材料セットの第一形態による家具の組立において、棒状部材の接着工程を示す要部拡大図である。
【図５】本発明に係る家具組立材料セットの第一形態による家具の組立において、第一段目の棒状部材上に第二段目の棒状部材が接着された状態を示す説明図である。
【図６】本発明に係る家具組立材料セットの第一形態による家具の組立において、第二段目の棒状部材上に第三段目の棒状部材を重ねる工程を示す説明図である。
【図７】本発明に係る家具組立材料セットの第一形態による家具の組立において、第三段目の棒状部材に第四段目の棒状部材を重ねる工程を示す説明図である。
【図８】本発明に係る家具組立材料セットの第一形態による家具の組立において、第六段目まで組み立てられ、第七段目の棒状部材を重ねる工程を示す説明図である。
【図９】本発明に係る家具組立材料セットの第一形態によって組み立てられた家具の一例を示す斜視図である。
【図１０】本発明に係る家具組立材料セットの第一形態によって組み立てられた家具を一段のみからなる整理棚に使用した例を示す斜視図である。
【図１１】本発明に係る家具組立材料セットの第二形態におけるガイド手段と棒状部材を示す説明図である。
【図１２】本発明に係る家具組立材料セットの第二形態によって組み立てられた家具の一例を示す斜視図である。
【図１３】本発明に係る家具組立材料セットによって組み立てられた家具の配置例を示す斜視図である。
【図１４】本発明に係る家具組立材料セットの第三形態におけるガイド手段と棒状部材を示す説明図である。
【図１５】本発明に係る家具組立材料セットの第三形態において、パッケージの梱包を開いた状態を示す斜視図である。
【図１６】本発明に係る家具組立材料セットの第三形態による家具の組立において、ガイド手段に第一段目の棒状部材を設置した状態を示す説明図である。
【図１７】本発明に係る家具組立材料セットの第三形態による家具の組立において、第一段目の棒状部材上に第二段目の棒状部材が接着された状態を示す説明図である。
【図１８】本発明に係る家具組立材料セットの第三形態による家具の組立において、第三段目の棒状部材に第四段目の棒状部材を重ねる工程を示す説明図である。
【図１９】本発明に係る家具組立材料セットの第三形態による家具の組立において、ガイド手段の上蓋部を起立させて、偶数角筒状に組み立てた状態を示す説明図である。
【図２０】本発明に係る家具組立材料セットの第三形態による家具の組立において、棒状部材をガイド手段の上蓋部以上の高さまで組み立てた状態を示す説明図である。
【図２１】本発明に係る家具組立材料セットによって組み立てられた家具を二段形状の整理棚に使用した例を示す斜視図である。
【図２２】本発明に係る家具組立材料セットによって組み立てられた家具を二段の整理棚に使用した他の例を示す斜視図である。
【図２３】本発明に係る家具組立材料セットによって組み立てられた家具を多段の棚として使用した例を示す斜視図である。
【図２４】本発明に係る家具組立材料セットによって組み立てられた家具を多段の棚として使用した他の例を示す斜視図である。
【図２５】本発明に係る家具組立材料セットによって組み立てられた家具をスツールとして使用した他の例を示す斜視図である。
【図２６】本発明に係る家具組立材料セットによる家具の組立の他の方法を示す説明図である。
【発明を実施するための形態】
【００２１】
以下、本発明に係る家具組立材料セットの好ましい実施の形態について、図面を参照しながら説明する。まず図１は、本発明に係る家具組立材料セットの第一形態におけるガイド手段と棒状部材を示す説明図、図２〜図８は、本発明に係る家具組立材料セットの第一形態による家具の組立の手順を示す説明図である。
【００２２】
第一形態の家具組立材料セットは、図１に示すように、平面形状が正方形の台紙１と、この台紙１における互いに平行な二辺１ａ，１ａに沿って配置する二本一組の複数組（図１では一組のみ示す）の第一棒状部材２と、台紙１における前記二辺１ａ，１ａと直角かつ互いに平行な他の二辺１ｂ，１ｂに沿って配置する二本一組の複数組（図１では一組のみ示す）の第二棒状部材３と、接着剤４とを備える。なお、正方形の台紙１は、請求項１に記載された偶数角形のガイド手段に相当し、その互いに平行な二辺１ａ，１ａは請求項１に記載された一つおきの辺に相当し、互いに平行な他の二辺１ｂ，１ｂは請求項１に記載された他の辺に相当するものである。
【００２３】
台紙１は、例えば一辺が数十ｃｍの正方形の厚紙からなるものであり、第一棒状部材２及び第二棒状部材３は無垢又は集成材などの木製の角棒からなるものである。第一棒状部材２及び第二棒状部材３の長さは台紙１の一辺（辺１ａ及び１ｂ）の長さに等しく、その断面形状は長方形をなしている。すなわち第一棒状部材２と第二棒状部材３は同形同大である。これら第一棒状部材２及び第二棒状部材３による家具の組み立ては、以下のような手順で行われる。
【００２４】
まず図２に示すように、台紙１の平行な二辺１ａに沿って第一段目の二本の第一棒状部材２１，２１を配置する。詳しくは、各第一棒状部材２１は、その長手方向へ延びる面のうち、幅の狭い二面の一方２ａを前記辺１ａに合わせると共に、幅の広い面２ｂが上下を向くように台紙１上に設置する。
【００２５】
次に図３に示すように、第一段目の二本の第一棒状部材２１，２１の長手方向両端上に架け渡すように、台紙１における他の二辺１ｂ，１ｂに沿って第二段目の二本の第二棒状部材３２，３２を配置する。詳しくは、各第二棒状部材３２は、その長手方向へ延びる面のうち、幅の狭い二面の一方３ａを前記辺１ｂに合わせると共に、幅の広い面３ｂが上下を向くようにする。またこのとき、図４に示すように、第一棒状部材２１の上面（面２ｂ）の両端部、又はこれに対向する第二棒状部材３２の下面（面３ｂ）の両端部に、予め接着剤４を塗布しておく。なお、その塗布面は、第一棒状部材２１の端部と第二棒状部材３２の端部との重ね代に相当するものである。
【００２６】
このようにすることによって、図５に示すように、正方形の台紙１の各頂点１ｃ上で重合した第一段目の第一棒状部材２１，２１と第二段目の第二棒状部材３２，３２の端部同士が、接着剤４の層の経時的な硬化によって互いに接着される。
【００２７】
次に図６に示すように、第二段目の二本の第二棒状部材３２，３２の長手方向両端上に架け渡すように、第一段目の第一棒状部材２１，２１と平行に、すなわち台紙１の辺１ａに沿って、第三段目の二本の第一棒状部材２３，２３を配置する。詳しくは、第三段目の各第一棒状部材２３は、その長手方向へ延びる面のうち、幅の狭い二面の一方２ａを前記辺１ａ又は第一段目の第一棒状部材２１の外側面２ａに合わせると共に、幅の広い面２ｂが上下を向くようにする。また、先に説明した図４と同様にして、第二段目の第二棒状部材３２の上面の両端部、又はこれに対向する第三段目の第一棒状部材２３の下面の両端部に、予め接着剤を塗布しておく。
【００２８】
このようにすることによって、図７に示すように、正方形の台紙１の各頂点１ｃ上で重合した第二段目の第二棒状部材３２，３２と第三段目の第一棒状部材２３，２３との端部同士が互いに接着される。
【００２９】
そして上述のような作業を繰り返すことによって、図８に、第六段目まで組み立てて第七段目の第一棒状部材２，２を重ねる工程を示すように、第一棒状部材２，２と第二棒状部材３，３を順次重ねてその端部同士を接着して行く。
【００３０】
そして、第一棒状部材２と第二棒状部材３の接合面間に介在する接着剤が経時的に硬化して接着力を発現することによって、図９に示すように、第一棒状部材２と第二棒状部材３の積み重ね方向の投影形状が正方形の角筒状のかご型の家具１０が完成する。なお、不要になった台紙１は紙製であるため、容易に破棄することができる。
【００３１】
この家具１０はそのまま床面上などに設置することで、本や玩具、小物などの収納箱として使用することができ、角筒状のかご型をなすことから、何が収納されているかわかりやすいものとなっている。
【００３２】
先に説明したように、第一棒状部材２及び第二棒状部材３は断面形状が長方形をなしていて、相対的に幅の広い面２ｂ，３ｂ同士で接着されるため、図４に点々を付して示される接着面の面積を比較的大きく取ることができるのに加え、肉厚の小さい方向へ重合されるため、接着段数も多いものとなる。したがって、家具１０は、多数の第一棒状部材２からなる簀状壁面１０ａ又は多数の第二棒状部材３からなる簀状壁面１０ｂが上面又は下面となるように（正方形状の開口が水平方向を向くように）設置した状態において、鉛直荷重や水平剪断力が作用したときの第一棒状部材２と第二棒状部材３の接合強度が大きいものとなる。
【００３３】
図１０は、家具１０を一段のみからなる整理棚に、ガラス製の棚板２０の支持手段として使用した例を示すものである。この例による整理棚は、二台の家具１０を左右に適当に離して並べると共に、正方形状の開口が正面（水平方向）を向くように設置し、その上に棚板２０を架設したもので、家具１０内の空間Ｓ１や、家具１０，１０間の空間Ｓ２も整理・収納空間として利用することができる。
【００３４】
次に図１１は、本発明に係る家具組立材料セットの第二形態におけるガイド手段と棒状部材を示す説明図である。
【００３５】
この第二形態は、第一棒状部材２と第二棒状部材３の長さが互いに異なるものである点で、上述した第一形態と相違するものである。図示の例では、台紙１は、平行な二辺１ａ，１ａが他の平行な二辺１ｂ，１ｂの１／２の長さで、辺１ｂは図１に示す第一形態による台紙１の辺１ａ，１ｂと同じ長さとなっている。また、したがって第一棒状部材２は第二棒状部材３の１／２の長さで、第二棒状部材３は図１に示す第一形態による第一棒状部材２及び第二棒状部材３と同じ長さとなっている。
【００３６】
第二形態においても、その組立手順は第一形態と同様であり、これによって、図１２に示すように、第一棒状部材２と第二棒状部材３の積み重ね方向の投影形状が長方形の角筒状のかご型の家具１０’が組み立てられる。
【００３７】
そして図１３に示すように、この第二形態により組み立てられた家具１０’は、横長の状態（短い第一棒状部材２が鉛直に立つ状態）で二台重ねた場合、その高さは第一形態により組み立てられた図９の家具１０と同じになる。
【００３８】
また、組み立てる際に使用するガイド手段として台紙１の代わりに例えば薄い合板などを用いても良く、この場合は図２に示す第一段目の第一棒状部材２１，２１を配置する工程において、この第一棒状部材２１，２１の下面をガイド手段としての前記合板に接着剤で接着しても良い。このようにすれば、組み立てられる家具１０は有底のかご状とすることができ、図１０や、後述の図２１〜図２５に示す例のように使用する場合、水平剪断力に対する強度も著しく増大することができる。
【００３９】
次に図１４は、本発明に係る家具組立材料セットの第三形態におけるガイド手段と棒状部材を示す説明図、図１５は、第三形態において、パッケージの梱包を開いた状態を示す斜視図、図１６〜図２０は、第三形態による家具の組立の手順を示す説明図である。
【００４０】
第三形態の家具組立材料セットは、図１４に示すように、ガイド手段として、平面形状が、一辺が数十ｃｍの正方形をなすように互いに重合した下蓋部からなる底部５１と、その各辺から前記底部５１に対して垂直に立ち上がる四枚の側板部５２を有する有底四角筒状（直方体の箱状）のガイド枠５を用いている点で、上述した第一形態及び第二形態と相違するものである。またこのガイド枠５は、各側板部５２の上縁をヒンジとして開閉可能に延びる四枚の上蓋部５３を有する。
【００４１】
すなわち第三形態の家具組立材料セットは、上述したガイド枠５と、このガイド枠５の底部５１における互いに平行な二辺５１ａ（図１４では一辺のみ示す）の内法、言い換えればこの辺５１ａから立ち上がる側板部５２の内側面５２ａに沿って配置する二本一組の複数組（図１４では一組のみ示す）の第一棒状部材２と、前記二辺５１ａと直角かつ互いに平行な他の二辺５１ｂ（図１４では一辺のみ示す）の内法、言い換えればこの辺５１ｂから立ち上がる側板部５２の内側面５２ｂに沿って配置する二本一組の複数組（図１４では一組のみ示す）の第二棒状部材３と、接着剤４と、互いに隣接する上蓋部５３，５３同士を互いに結合するための粘着テープ６を備える。なお、互いに平行な二辺５１ａは請求項１に記載された一つおきの辺に相当し、互いに平行な他の二辺５１ｂは請求項１に記載された他の辺に相当するものである。
【００４２】
ガイド枠５は、例えば図１５に示すように、先に説明した図９のかご型の家具１０を製作するための所要数の第一棒状部材２及び第二棒状部材３を詰めて梱包可能な段ボール製の直方体状のパッケージからなるものである。
【００４３】
第一棒状部材２及び第二棒状部材３は無垢又は集成材などの木製の角棒からなるものであって、その長さはガイド枠５における底部５１の一辺（辺５１ａ，５１ｂ）の内法の長さ、言い換えれば側板部５２の内側面５２ａ，５２ｂの横方向の内法の長さに等しく、その断面形状は長方形をなしている。すなわち第一棒状部材２と第二棒状部材３は同形同大である。これら第一棒状部材２及び第二棒状部材３による家具の組み立ては、以下のような手順で行われる。
【００４４】
まず図１５に示すように、ガイド枠５を兼ねる段ボール製のパッケージによる梱包を解いてその上蓋部５３を開き、中から第一棒状部材２及び第二棒状部材３（この例では第一棒状部材２と第二棒状部材３は同じものである）をすべて取り出し、図１６に示すように、空の状態になったガイド枠５の底部５１における平行な二辺（側板部５２の内側面５２ａ）に沿って第一段目の二本の第一棒状部材２１（図１６では一本のみ示す）を配置する。詳しくは、各第一棒状部材２１は、その長手方向へ延びる面のうち、幅の狭い二面の一方を前記辺（内側面５２ａ）に合わせると共に、幅の広い面２ｂが上下を向くように、ガイド枠５の底部５１上に設置する。このとき、第一棒状部材２１の長手方向両端は、互いに直角をなして隣接する側板部５２，５２間の隅部５２ｃによって位置決めされることになる。
【００４５】
次に図１７に示すように、第一段目の二本の第一棒状部材２１の長手方向両端上に架け渡すように、ガイド枠５の底部５１における平行な他の二辺５１ｂ（側板部５２の内側面５２ｂ）に沿って第二段目の二本の第二棒状部材３２（図１７では一本のみ示す）を配置する。詳しくは、各第二棒状部材３２は、その長手方向へ延びる面のうち、幅の狭い二面の一方を前記辺５１ｂ（内側面５２ｂ）に合わせると共に、幅の広い面３ｂが上下を向くようにする。そしてこの場合も、第二棒状部材３２の長手方向両端は、ガイド枠５の隅部５２ｃによって位置決めされることになる。
【００４６】
またこのとき、先に説明した図４に示すように、第一棒状部材２１の上面（面２ｂ）の両端部、又はこれに対向する第二棒状部材３２の下面（面３ｂ）の両端部に、予め接着剤４を塗布しておく。なお、その塗布面は、第一棒状部材２１の端部と第二棒状部材３２の端部との重ね代に相当するものである。そしてこのようにすることによって、ガイド枠５の正方形の底部５１の各頂点５１ｃ（図１４参照）上で重合した第一段目の第一棒状部材２１と第二段目の第二棒状部材３２の端部同士が、接着剤４の層の経時的な硬化によって互いに接着される。
【００４７】
そして上述のような作業を繰り返すことによって、図１８に、第三段目まで組み立てて第四段目の第二棒状部材３４，３４を重ねる工程を示すように、第一棒状部材２，２と第二棒状部材３，３を順次重ねてその端部同士を接着して行く。
【００４８】
また、第一棒状部材２，２と第二棒状部材３，３の組立高さがガイド枠５の側板部５２の高さｈ１を超える場合には、図１９に示すように、ガイド枠５の四枚の上蓋部５３を、各側板部５２と同一平面をなすように起立させると共に、互いに隣接する上蓋部５３，５３同士を、粘着テープ６を介して互いに結合することによって、ガイド枠５の高さをｈ２に延長することができる。
【００４９】
したがって、第一棒状部材２，２又は第二棒状部材３，３を既設の棒状部材の長手方向両端上に架け渡すように配置する際に、その側面をガイド枠５の上蓋部５３の内側面５３ａ又は５３ｂに合わせると共に、互いに直角をなして隣接する前記内側面５３ａ，５３ｂの間の隅部５３ｃによって長手方向両端が位置決めすることができる。図２０は、第一棒状部材２及び第二棒状部材３を、上蓋部５３の起立高さより高い位置まで組み立てた状態を示している。
【００５０】
そして上述した一連の作業では、第一棒状部材２及び第二棒状部材３の組立高さが低いうちは、図１６〜図１８のように上蓋部５３を外側へ開いた状態にしておくことで、ガイド枠５は底の浅い箱状となるため、ガイド枠５内への第一及び第二棒状部材２，３の位置決め設置作業を容易に行うことができ、組立高さがガイド枠５の側板部５２の高さｈ１を超えてからは、図１９及び図２０に示すように、ガイド枠５の上蓋部５３を、起立させて互いに結合することによって、組立高さがガイド枠５の側板部５２の高さｈ１より高いかご型の家具を容易に、かつ高精度に組み立てることができるのである。
【００５１】
なお、組み立てが完了したら、ガイド枠５を除去すれば、先に説明した図９のようなかご型の家具１０（第一棒状部材２と第二棒状部材３の長さが異なる場合は、図１２のような家具１０’）を取り出すことができる。また、ガイド枠５は段ボール製であるため、除去後は資源ごみとしてリサイクルに供することができる。
【００５２】
そしてこの第三の形態についても、ガイド枠５をその平面形状が長方形状をなすものとして、第一棒状部材２と第二棒状部材３の長さをガイド枠５の底部における互いに平行な二辺と他の二辺の長さに対応するものとすれば、先に第二の形態で説明した図１２のように、第一棒状部材２と第二棒状部材３の積み重ね方向の投影形状が長方形の角筒状のかご型の家具１０’を組み立てることができる。
【００５３】
図２１及び図２２は、図９の家具１０と図１２の家具１０’を二段構造の整理棚に用いた例を示すものである。このうち図２１に示す整理棚は、左右に適当に離して並べると共に正方形状の開口が正面（水平方向）を向くように設置した二台の家具１０の上に第一段目の棚板２０１を架設し、この棚板２０１の上に、家具１０’を横長にした状態で左右に適当に離して並べると共に長方形状の開口が正面（水平方向）を向くように設置し、その上に第二段目の棚板２０２を架設したものである。また、図２２に示す整理棚は、第一段目の棚板２０１の上に、第二形態により組み立てられた家具１０’を縦長にした状態で左右に適当に離して並べると共に長方形状の開口が正面（水平方向）を向くように設置し、その上に第二段目の棚板２０２を架設したものである。
【００５４】
そして図２１及び図２２に例示した整理棚の場合も図１０の例と同様、家具１０内及び家具１０’内の空間や、家具１０，１０間及び家具１０’，１０’の空間も整理・収納空間として利用することができる。
【００５５】
図２３は、図９の家具１０と図１２の家具１０’をそれぞれ縦に二台ずつ重ねて、多段の棚として利用した例を示すものである。また図２４は、図９の家具１０と図１２の家具１０’を階段状になるように組み合わせて設置したものである。このように、種々の組み合わせが可能である。
【００５６】
さらに図２５は、図９の家具１０をスツールとして利用した例を示すもので、参照符号３０はクッションである。先に説明したように、組み立てられた家具１０は、第一棒状部材２と第二棒状部材３の接着面積が大きく、接着段数も多くできるので、鉛直荷重や水平剪断力に対して高い強度を確保することができ、したがって図２５のようにスツールとして利用することも可能である。
【００５７】
また、先に説明した図２〜図４に示すような方法、あるいは図１７に示すような方法で、図２６に示すように、第一棒状部材２，２と第二棒状部材３，３からなる正方形の枠状物を複数個組み立て、所要の接着強度が発現されたら、これを重ねて接着することによっても、図９に示す家具１０あるいは図１２に示す家具１０’を高精度に製作することができる。
【００５８】
なお、上述した各実施の形態では、台紙１あるいはガイド枠５（ガイド手段）の平面形状が正方形又は長方形をなし、四角筒状のかご型に組み立てるものとして説明したが、本発明はこれに限定されるものではなく、例えばガイド手段の平面形状が六角形をなし、第一棒状部材２及び第二棒状部材３をそれぞれ三本一組として六角筒状のかご型に組み立てるものなども実施可能である。
【符号の説明】
【００５９】
１  台紙（ガイド手段）
１ａ，１ｂ，５１ａ，５１ｂ  辺
１ｃ，５１ｃ  頂点
２  第一棒状部材
３  第二棒状部材
４  接着剤
５  ガイド枠（ガイド手段）
５１  底部
５２  側板部
５２ｃ  隅部
５３  上蓋部
６  粘着テープ（結合手段）
１０，１０’  家具
【図１】
0005762733.tif 000002
【図２】
0005762733.tif 000003
【図３】
0005762733.tif 000004
【図４】
0005762733.tif 000005
【図５】
0005762733.tif 000006
【図６】
0005762733.tif 000007
【図７】
0005762733.tif 000008
【図８】
0005762733.tif 000009
【図９】
0005762733.tif 000010
【図１０】
0005762733.tif 000011
【図１１】
0005762733.tif 000012
【図１２】
0005762733.tif 000013
【図１３】
0005762733.tif 000014
【図１４】
0005762733.tif 000015
【図１５】
0005762733.tif 000016
【図１６】
0005762733.tif 000017
【図１７】
0005762733.tif 000018
【図１８】
0005762733.tif 000019
【図１９】
0005762733.tif 000020
【図２０】
0005762733.tif 000021
【図２１】
0005762733.tif 000022
【図２２】
0005762733.tif 000023
【図２３】
0005762733.tif 000024
【図２４】
0005762733.tif 000025
【図２５】
0005762733.tif 000026
【図２６】
0005762733.tif 000027